(57)【要約】【課題】  消費電力が少なく、簡単な構成によって、ユーザ数をより増加させることができる。  【解決手段】  非同期化部１のｎ個の遅延部２1〜２nは、それぞれｔ1〜ｔnの遅延時間を送信データｒ1〜ｒnに与える。非同期伝送データが拡散変調器４1〜４nにおいて拡散符号ｃ1〜ｃnによって拡散変調される。一方のグループの変調出力を加算器５1で加算した信号がＩチャンネルとして送信部６に対して供給され、他方のグループの変調出力を加算器５2で加算した信号がＱチャンネルとして送信部６に対して供給される。遅延時間ｔ1〜ｔnは、発振器８ａの出力信号の位相差によって生成される。発振器８ａは、縦続接続された５個のインバータと、位相比較用のＥＸ−ＯＲゲートと、パルス発生部１３と、合成部としてのＯＲゲートとを有する。発振器８ａは、同一周波数で、同期信号Ｓinに同期した発振出力信号Ｓ1〜Ｓ5を出力する。【選択図】  図１
2005109891.tif 000002
【特許請求の範囲】
【請求項１】
複数の送信データを複数の拡散符号でそれぞれ拡散変調する複数の変調器からなる変調部と、上記変調部の出力信号を送信する送信部とを有する送信装置であって、
互いに位相差を有する複数の出力信号を発生する発振器と、
上記発振器の出力信号が供給され、上記位相差に対応する遅延処理によって、複数の上記送信データおよび複数の上記拡散符号の少なくとも一方を非同期化する非同期化部とからなる送信装置。
【請求項２】
請求項１において、
上記発振器は、複数のインバータの縦続接続と合成回路とがリング状に接続され、上記インバータの縦続接続から複数の発振出力信号取り出し用のタップが導出され、上記合成回路によって、入力パルス信号と発振出力信号とを合成して上記縦続接続に出力するリング発振器と、
上記合成回路に入力される上記発振出力信号が同期信号に対して有する位相差を検出し、上記位相差の検出時点に同期して上記入力パルス信号を発生するパルス発生回路とからなる送信装置。
【請求項３】
請求項２において、
上記パルス発生回路は、
上記同期信号に対する上記発振信号の位相進みまたは位相遅れを検出する位相検出回路と、
上記位相検出回路による上記位相進みまたは位相遅れの検出時点に同期して、上記パルス信号を発生するパルス発生回路とを含む送信装置。
【請求項４】
請求項１において、
上記発振器は、クロック発生器と複数のインバータが縦続接続され、さらに、上記インバータの縦続接続から複数の発振出力信号取り出し用のタップが導出された構成とされた送信装置。
【請求項５】
送信装置において複数の送信データおよび複数の拡散符号の少なくとも一方が非同期化された信号を受信し、複数の受信データを出力する受信部と、複数の受信データを複数の拡散符号でそれぞれ拡散復調する複数の復調器からなる復調部とを有する受信装置であって、
互いに位相差を有する複数の出力信号を発生する発振器と、
上記発振器の出力信号が供給され、上記位相差に対応する遅延処理によって、送信側と対応して複数の上記受信データおよび複数の上記拡散符号の少なくとも一方を同期化する同期化部とからなる受信装置。
【請求項６】
請求項５において、
上記発振器は、複数のインバータの縦続接続と合成回路とがリング状に接続され、上記インバータの縦続接続から複数の発振出力信号取り出し用のタップが導出され、上記合成回路によって、入力パルス信号と発振出力信号とを合成して上記縦続接続に出力するリング発振器と、
上記合成回路に入力される上記発振出力信号が同期信号に対して有する位相差を検出し、上記位相差の検出時点に同期して上記入力パルス信号を発生するパルス発生回路とからなる受信装置。
【請求項７】
請求項６において、
上記パルス発生回路は、
上記同期信号に対する上記発振信号の位相進みまたは位相遅れを検出する位相検出回路と、
上記位相検出回路による上記位相進みまたは位相遅れの検出時点に同期して、上記パルス信号を発生するパルス発生回路とを含む受信装置。
【請求項８】
請求項５において、
上記発振器は、クロック発生器と複数のインバータが縦続接続され、さらに、上記インバータの縦続接続から複数の発振出力信号取り出し用のタップが導出された構成とされた受信装置。
【請求項９】
請求項５において、
上記同期化部は、
送信側において上記受信データおよび複数の上記拡散符号の少なくとも一方に与えられた遅延時間ｔ1，ｔ2，・・・，ｔnを、Ｔ−ｔ1，Ｔ−ｔ2，・・・，Ｔ−ｔnの遅延時間を与える処理でキャンセルする受信装置。
【請求項１０】
複数の送信データを複数の拡散符号でそれぞれ拡散変調し、拡散変調出力信号を送信する送信方法であって、
発振器により生成された互いに位相差を有する複数の出力信号を受け取り、上記位相差に対応する遅延処理によって、複数の上記送信データおよび複数の上記拡散符号の少なくとも一方を同期化する送信方法。
【請求項１１】
請求項１０において、
上記発振器は、複数のインバータの縦続接続と合成回路とがリング状に接続され、上記インバータの縦続接続から複数の発振出力信号取り出し用のタップが導出され、上記合成回路によって、入力パルス信号と発振出力信号とを合成して上記縦続接続に出力するリング発振器と、
上記合成回路に入力される上記発振出力信号が同期信号に対して有する位相差を検出し、上記位相差の検出時点に同期して上記入力パルス信号を発生するパルス発生回路とからなる送信方法。
【請求項１２】
請求項１１において、
上記パルス発生回路は、
上記同期信号に対する上記発振信号の位相進みまたは位相遅れを検出する位相検出回路と、
上記位相検出回路による上記位相進みまたは位相遅れの検出時点に同期して、上記パルス信号を発生するパルス発生回路とを含む送信方法。
【請求項１３】
請求項１０において、
上記発振器は、クロック発生器と複数のインバータが縦続接続され、さらに、上記インバータの縦続接続から複数の発振出力信号取り出し用のタップが導出された構成とされた送信方法。
【請求項１４】
送信装置において複数の送信データおよび複数の拡散符号の少なくとも一方が非同期化された信号を受信し、複数の受信データを複数の拡散符号でそれぞれ拡散復調する受信方法であって、
発振器により生成された互いに位相差を有する複数の出力信号を受け取り、上記位相差に対応する遅延処理によって、送信側と対応して複数の上記受信データおよび複数の上記拡散符号の少なくとも一方を同期化する受信方法。
【請求項１５】
請求項１４において、
上記発振器は、複数のインバータの縦続接続と合成回路とがリング状に接続され、上記インバータの縦続接続から複数の発振出力信号取り出し用のタップが導出され、上記合成回路によって、入力パルス信号と発振出力信号とを合成して上記縦続接続に出力するリング発振器と、
上記合成回路に入力される上記発振出力信号が同期信号に対して有する位相差を検出し、上記位相差の検出時点に同期して上記入力パルス信号を発生するパルス発生回路とからなる受信方法。
【請求項１６】
請求項１５において、
上記パルス発生回路は、
上記同期信号に対する上記発振信号の位相進みまたは位相遅れを検出する位相検出回路と、
上記位相検出回路による上記位相進みまたは位相遅れの検出時点に同期して、上記パルス信号を発生するパルス発生回路とを含む受信方法。
【請求項１７】
請求項１４において、
送信側において上記受信データおよび複数の上記拡散符号の少なくとも一方に与えられた遅延時間ｔ1，ｔ2，・・・，ｔnを、Ｔ−ｔ1，Ｔ−ｔ2，・・・，Ｔ−ｔnの遅延時間を与える処理でキャンセルする受信方法。
【請求項１８】
複数の送信データを複数の拡散符号でそれぞれ拡散変調し、拡散変調出力信号を送信する送信方法のプログラムであって、
発振器により生成された互いに位相差を有する複数の出力信号を受け取り、上記位相差に対応する遅延処理によって、複数の上記送信データおよび複数の上記拡散符号の少なくとも一方を同期化する送信方法をプログラム制御可能なハードウェアに実行させるためのプログラム。
【請求項１９】
送信装置において複数の送信データおよび複数の拡散符号の少なくとも一方が非同期化された信号を受信し、複数の受信データを複数の拡散符号でそれぞれ拡散復調する受信方法のプログラムであって、
発振器により生成された互いに位相差を有する複数の出力信号を受け取り、上記位相差に対応する遅延処理によって、送信側と対応して複数の上記受信データおよび複数の上記拡散符号の少なくとも一方を同期化する受信方法をプログラム制御可能なハードウェアに実行させるためのプログラム。
【発明の詳細な説明】
【技術分野】
【０００１】
この発明は、スペクトル拡散通信方式例えばＣＤＭＡ(Code Division Multiple Access:符号分割多元接続)に適用される送信装置、受信装置、送信方法、およびおよびプログラムに関する。
【背景技術】
【０００２】
情報の帯域幅よりはるかに広い帯域幅に信号のエネルギーを拡散して通信を行うスペクトル拡散通信方式が知られている。スペクトル拡散通信方式では、拡散符号を使用して信号のスペクトルを拡散する。拡散符号として擬似雑音系列（ＰＮ(Pseudo-noise)系列）が使用される。拡散符号の一例は、Ｍ系列(Maximum-length linear shift-register sequence)である。また、二つのＭ系列の出力を排他的論理和で演算することによって得られた
Ｇｏｌｄ符号(Gold code)が用いられる。
【０００３】
ＣＤＭＡ方式は、スペクトル拡散通信方式の中で、拡散符号によってユーザを識別できる機能を活用した多元接続方式である。拡散符号として、従来では、Ｍ系列等のＰＮ系列を使用するのが普通であったが、カオス拡散符号を使用するＣＤＭＡが提案されている。ディジタル的にカオス拡散符号を生成することは、下記の特許文献１に記載されている。
【０００４】
【特許文献１】特開２００３−１４０８８５号公報
【０００５】
現在日本で使用されているＷ−ＣＤＭＡでは、送信側は、ｎ本のチャンネルの送信データのそれぞれに対して互いに異なる拡散符号を重畳して加算する系が二つ有り、これらの系のそれぞれを、位相が９０°異なるＩチャンネルおよびＱチャンネルに割り当てて送信するものである。これらの送信データは、互いに同期し、また、拡散符号も互いに同期しているのが普通であった。
【発明の開示】
【発明が解決しようとする課題】
【０００６】
ＣＤＭＡ方式のような多重化技術においては、同一誤り率の下で、ユーザ数を増加できることが電波の有効利用の点から求められている。この点で従来のＣＤＭＡ方式は、必ずしも満足できるものではなかった。
【０００７】
この発明は、ユーザ数を増加させるために、ｎ本のチャンネルの送信データおよび拡散符号の少なくとも一方を非同期化するものである。ｎ本のチャンネルを非同期で動作させるには、位相のずれたクロック信号を供給すれば良い。単純にディジタル回路によってｎ個の位相のずれたクロックを生成するには、ｎ倍の周波数のクロックを用意し、そのクロックを使用して位相のずれたクロックを生成できる。しかしながら、高周波の信号を扱うことになり、回路の構成が困難となり、消費電力が増加する問題が生じる。
【０００８】
したがって、この発明の目的は、消費電力が少なく、簡単な構成によって、非同期化の処理を行うことを可能とし、同一の誤り率の下で、ユーザ数をより増加させることが可能な送信装置、受信装置、送信方法、およびプログラムを提供することにある。
【課題を解決するための手段】
【０００９】
上述した課題を解決するために、この発明は、複数の送信データを複数の拡散符号でそれぞれ拡散変調する複数の変調器からなる変調部と、変調部の出力信号を送信する送信部とを有する送信装置であって、
互いに位相差を有する複数の出力信号を発生する発振器と、
発振器の出力信号が供給され、位相差に対応する遅延処理によって、複数の送信データおよび複数の拡散符号の少なくとも一方を非同期化する非同期化部とからなる送信装置である。
【００１０】
この発明は、送信装置において複数の送信データおよび複数の拡散符号の少なくとも一方が非同期化された信号を受信し、複数の受信データを出力する受信部と、複数の受信データを複数の拡散符号でそれぞれ拡散復調する複数の復調器からなる復調部とを有する受信装置であって、
互いに位相差を有する複数の出力信号を発生する発振器と、
発振器の出力信号が供給され、位相差に対応する遅延処理によって、送信側と対応して複数の受信データおよび複数の拡散符号の少なくとも一方を同期化する同期化部とからなる受信装置である。
【００１１】
この発明は、複数の送信データを複数の拡散符号でそれぞれ拡散変調し、拡散変調出力信号を送信する送信方法であって、
発振器により生成された互いに位相差を有する複数の出力信号を受け取り、位相差に対応する遅延処理によって、複数の送信データおよび複数の拡散符号の少なくとも一方を同期化する送信方法である。
【００１２】
この発明は、送信装置において複数の送信データおよび複数の拡散符号の少なくとも一方が非同期化された信号を受信し、複数の受信データを複数の拡散符号でそれぞれ拡散復調する受信方法であって、
発振器により生成された互いに位相差を有する複数の出力信号を受け取り、位相差に対応する遅延処理によって、送信側と対応して複数の受信データおよび複数の拡散符号の少なくとも一方を同期化する受信方法である。
【００１３】
この発明は、複数の送信データを複数の拡散符号でそれぞれ拡散変調し、拡散変調出力信号を送信する送信方法のプログラムであって、
発振器により生成された互いに位相差を有する複数の出力信号を受け取り、位相差に対応する遅延処理によって、複数の送信データおよび複数の拡散符号の少なくとも一方を同期化する送信方法をプログラム制御可能なハードウェアに実行させるための
プログラムである。
【００１４】
この発明は、送信装置において複数の送信データおよび複数の拡散符号の少なくとも一方が非同期化された信号を受信し、複数の受信データを複数の拡散符号でそれぞれ拡散復調する受信方法のプログラムであって、
発振器により生成された互いに位相差を有する複数の出力信号を受け取り、位相差に対応する遅延処理によって、送信側と対応して複数の受信データおよび複数の拡散符号の少なくとも一方を同期化する受信方法をプログラム制御可能なハードウェアに実行させるためのプログラムである。
【発明の効果】
【００１５】
この発明は、同一の誤り率の下で、従来の方式に比してユーザ数をより増加させることができる。また、この発明では、非同期化を論理回路のみにより構成された発振器の出力によって行うので、低消費電力で、ＬＳＩ(Large Scale Integrated Circuit：大規模集
積回路)化に適した簡単な構成とできる。
【発明を実施するための最良の形態】
【００１６】
以下、この発明による送信装置の第１の実施形態について図１を参照して説明する。一実施形態は、送信データのタイミングをチャンネル毎に非同期にする例である。図１において、ｒ1，ｒ2，・・・，ｒnがｎ本のチャンネルの送信データ例えばそれぞれ異なるユ
ーザの送信データを示している。送信データｒ1〜ｒnは、互いに等しいクロックレートを有し、互いに同期したものである。
【００１７】
送信データｒ1〜ｒnは、例えばある基地局のセル内にある複数の移動局がその基地局に対して伝送する音声、画像等の種々のデータや制御データである。他の例は、マルチチャンネルＷ−ＣＤＭＡの移動局に対して伝送する音声や画像等の種々のデータや制御データである。
【００１８】
送信データｒ1〜ｒnが非同期化部１に供給される。非同期化部１は、ｎ個の遅延部２1
，２2，・・・，２nからなる。非同期化部１の各遅延部は、それぞれｔ1，ｔ2，・・・，ｔnの遅延時間を送信データｒ1〜ｒnに与えるものである。ここで、遅延時間ｔ1〜ｔnの
何れも、送信データのクロックレートの最小値の逆数よりも短いものに選定される。
【００１９】
非同期化部１によって伝送データの同期がずれ、ｎ個の非同期伝送データが非同期化部１から出力され、変調部３に対して供給される。変調部３は、ｎ個の拡散変調器４1，４2，・・・，４nと２個の加算器５1，５2とを有している。非同期化部１から出力される非
同期伝送データがそれぞれ拡散変調器４1〜４nによって直接拡散変調される。ｃ1，ｃ2，・・・，ｃnは、拡散変調器４1〜４nにそれぞれ供給される拡散符号を示している。
【００２０】
非同期化部１の出力が二つのグループに分けられ、分類された２個のグループのデータ群が拡散変調器４1〜４nに対して重複しないように供給される。一方のグループの拡散変調器の変調出力が加算器５1に入力され、加算器５1によって加算される。他方のグループの拡散変調器の変調出力が加算器５2に入力され、加算器５2によって加算される。
【００２１】
一方の加算器５1の出力信号がＩチャンネルの信号として送信部６に対して供給され、
他方の加算器５2の出力信号がＱチャンネルの信号として送信部６に対して供給される。
ＩチャンネルおよびＱチャンネルの信号は、互いに位相が９０°異なるもので、送信部６は、従来のＷ−ＣＤＭＡと同様の処理を行う。送信部６の出力信号がアンテナ７に供給され、空間に電波として放射される。なお、送信部６がＩチャンネルおよびＱチャンネルの信号を異なる搬送波周波数で変調して変調出力を混合する構成としても良い。
【００２２】
上述した送信装置の構成において、非同期化部１の遅延部２1〜２nがそれぞれ有する遅延時間ｔ1〜ｔnは、発振器８ａによって生成されるものである。例えば遅延部２1〜２nがＤフリップフロップの構成とされ、データ入力として送信データが供給され、クロック入力として発振器８ａの出力信号Ｓ1〜Ｓnが供給される。非同期化を行うことが目的であるので、遅延部２1〜２nに対して発振器８ａの出力を順番に供給する必要はなく、図示のように、遅延部２n-1に対して出力信号Ｓnが供給され、遅延部２nに対して出力信号Ｓn-1が供給されている。
【００２３】
図２は、発振器８ａのみを分離して示している。発振器８ａは、入力同期信号Ｓinに対して所定の位相差を有する発振出力信号Ｓ1〜Ｓnを生成する。図２は、一例としてｎ＝５の場合の構成例である。
【００２４】
発振器８ａは、縦続接続された５個のインバータ１１1，１１2，１１3，１１4，１１5
と、位相比較部としての排他的論理和回路（以下、ＥＸ−ＯＲゲートと称する）１２と、パルス発生部１３と、合成部としての論理和回路（以下、ＯＲゲートと称する）１４とを有している。ＥＸ−ＯＲゲート１２の一方の入力として同期信号Ｓinが供給され、その他方の入力としてインバータ１１5の出力信号Ｓ5が入力される。ＥＸ−ＯＲゲート１２の出力信号がパルス発生部１３に入力され、パルス発生部１の出力信号と出力信号Ｓ5とがＯ
Ｒゲート１４に供給される。ＯＲゲート１４の出力が初段のインバータ１１1に対して帰
還される。インバータ１１1〜１１nは、一方の入力を論理的に"1"に固定したＥＸ−ＯＲ
ゲートによって構成しても良い。
【００２５】
発振器８ａは、同期信号Ｓinに同期し、同一周波数で、且つ互いに位相差を有する発振出力信号Ｓ1〜Ｓ5を出力する。ＯＲゲート１４を介してリング状に接続されたインバータ１１1〜１１5により形成されるリング発振回路の自走発振周波数と十分近い周波数を有する同期信号Ｓinを入力し、同期信号Ｓinとリング発振回路の出力信号Ｓ5とをＥＸ−ＯＲ
ゲート１２によって位相比較し、比較結果に応じたタイミングでパルス発生部１３がパルス信号を発生する。このパルス信号をＯＲゲート１４を介してリング発振回路に印加することによって、発振出力Ｓ5の位相は、同期信号Ｓinに追従して変化し、数サイクル程度
の発振周期の後では、同期信号Ｓinの位相と同期した状態で安定する。
【００２６】
図３は、図２に示す位相同期型の発振器８ａの出力信号のタイミングを示す。発振器８ａの出力信号Ｓ1（図３Ａ）に対して、図３Ｂに示す出力信号Ｓ2がインバータ１１2の遅
延時間ｔ2遅れた信号となり、信号Ｓ2に対して図３Ｃに示す出力信号Ｓ3がインバータ１
１3の遅延時間ｔ3遅れた信号となる。さらに、図３Ｄおよび図３Ｅは、インバータ１１4
の遅延時間ｔ4およびインバータ１１5の遅延時間ｔ5遅れた信号Ｓ4およびＳ5をそれぞれ
示している。図３は、インバータ１１1の遅延時間をｔ1とし、また、インバータ１１1〜
１１5が互いに等しい遅延時間を有しているものとしている。
【００２７】
上述したように、発振器８ａは、同期信号Ｓinに同期して互いに位相差を有する出力信号Ｓ1〜Ｓnを出力する。この発振器８ａの出力信号が持つ位相差と同様の位相差を送信データが持つようになされ、非同期化がなされる。
【００２８】
図４は、同期信号Ｓinの位相が発振信号Ｓ5に対して遅れている場合の発振器８ａの動
作を説明する波形図である。図４Ａ、図４Ｂおよび図４Ｃにおいて、縦軸が各波形の電圧振幅を示し、横軸が時間を示す。また、図４Ａ、図４Ｂおよび図４Ｃによって発振信号Ｓ5の３周期における波形変化が示されており、図４Ａは、時刻０〜時刻Ｔの波形変化を示
し、図４Ｂは、時刻Ｔ〜時刻２Ｔの波形変化を示し、図４Ｃは、時刻２Ｔ〜時刻３Ｔの波形変化を示している。
【００２９】
信号Ｓ5がローレベルからハイレベルに立ち上がると（時刻ｔ１） 、ＥＸ−ＯＲゲート１２によって信号Ｓ5と同期信号Ｓinのレベルの不一致が検出され、ＥＸ−ＯＲゲート１
２の出力信号がローレベルからハイレベルに立ち上がる。この立ち上がりエッジに同期してパルス発生部１３によりパルス信号Ｓ１２が生成される（時刻ｔ２）。これに遅れて同期信号Ｓinがローレベルからハイレベルに立ち上がると（時刻ｔ３）、信号Ｓ5と同期信
号Ｓinのレベルが一致して、ＥＸ−ＯＲゲート１２の出力信号がローレベルとなる。
【００３０】
次に、発振信号Ｓ5がハイレベルからローレベルに立ち下がると（時刻ｔ４）、ＥＸ−
ＯＲゲート１２によって信号Ｓ5と同期信号Ｓinの不一致が検出され、その出力信号がハ
イレベルに立ち上がる。この立ち上がりエッジに同期してパルス発生部１３によってパルス信号Ｓ１２が生成される（時刻ｔ５）。
【００３１】
次の第２番目の周期（図４Ｂ）において、発振信号Ｓ5がローレベルからハイレベルに
立ち上がると（時刻ｔ６）、ＥＸ−ＯＲゲート１２によって信号Ｓ5と同期信号Ｓinのレ
ベルの不一致が検出され、その出力信号がローレベルからハイレベルに立ち上がる。この立ち上がりエッジに同期してパルス発生部１３によってパルス信号Ｓ１２が生成される（時刻ｔ７）。これに遅れて同期信号Ｓinがローレベルからハイレベルに立ち上がると（時刻ｔ８）、信号Ｓ5と同期信号Ｓinのレベルが一致して、ＥＸ−ＯＲゲート１２の出力信
号がローレベルとなる。
【００３２】
この後、前の周期の時刻ｔ４から時刻Ｔに相当する位相において信号Ｓ5のパルス幅が
延長され、時刻２Ｔでローレベルに立ち下がる。こは、時刻ｔ５に生成されたパルス信号Ｓ１２によって発振信号Ｓ5に位相の後退を生じたためである。一方、時刻ｔ２に生成さ
れたパルス信号Ｓ１２は、信号Ｓ5のハイレベル期間と重なっており、ＯＲゲート１４の
出力信号の波形に影響しないため、位相の変化に殆ど影響を与えない。次の第３番目の周期（図４Ｃ）において、発振信号Ｓ5と同期信号Ｓinの位相が一致し、パルス信号Ｓ１２
が生成されない。
【００３３】
図５は、同期信号Ｓinの位相が発振信号Ｓ5に対して進んでいる場合の動作を説明する
波形図である。図５Ａ、図５Ｂおよび図５Ｃにおいて、縦軸が各波形の電圧振幅を示し、横軸が時間を示す。また、図５Ａ、図５Ｂおよび図５Ｃによって発振信号Ｓ5の３周期に
おける波形変化が示されており、図５Ａは、時刻０〜時刻Ｔの波形変化を示し、図５Ｂは、時刻Ｔ〜時刻２Ｔの波形変化を示し、図５Ｃは、時刻２Ｔ〜時刻３Ｔの波形変化を示している。
【００３４】
信号Ｓ5より進んで同期信号Ｓinがローレベルからハイレベルに立ち上がると（時刻ｔ
９） 、ＥＸ−ＯＲゲート１２によって信号Ｓ5と同期信号Ｓinのレベルの不一致が検出され、ＥＸ−ＯＲゲート１２の出力信号がローレベルからハイレベルに立ち上がる。この立ち上がりエッジに同期してパルス発生部１３によりパルス信号Ｓ１２が生成される（時刻ｔ１０）。これに遅れて発振信号Ｓ5がローレベルからハイレベルに立ち上がると（時刻
ｔ１１）、信号Ｓ5と同期信号Ｓinのレベルが一致して、ＥＸ−ＯＲゲート１２の出力信
号がローレベルとなる。
【００３５】
次に、同期信号Ｓinがハイレベルからローレベルに立ち下がると（時刻ｔ１２）、ＥＸ−ＯＲゲート１２によって信号Ｓ5と同期信号Ｓinの不一致が検出され、その出力信号が
ハイレベルに立ち上がる。この立ち上がりエッジに同期してパルス発生部１３によってパルス信号Ｓ１２が生成される（時刻ｔ１３）。
【００３６】
次の第２番目の周期（図５Ｂ）において、前の周期の時刻ｔ９から時刻ｔ１１に相当する位相において発振信号Ｓ5のパルス幅が延長され、信号Ｓ5は、同期信号Ｓinとともにローレベルからハイレベルに立ち上がる（時刻ｔ１４）。これは、時刻ｔ１０に生成されたパルス信号Ｓ１２によって発振信号Ｓ5に位相の後退が生じたためである。一方、時刻ｔ
１３に生成されたパルス信号Ｓ１２は、信号Ｓ5のハイレベル期間と重なっており、ＯＲ
ゲート１４の出力信号の波形に影響しないため、位相の変化に殆ど影響を与えない。
【００３７】
同期信号Ｓinがハイレベルからローレベルに立ち下がると（時刻ｔ１５）、ＥＸ−ＯＲゲート１２によって信号Ｓ5と同期信号Ｓinのレベルの不一致が検出され、その出力信号
がローレベルからハイレベルに立ち上がる。この立ち上がりエッジに同期してパルス発生部１３によってパルス信号Ｓ１２が生成される（時刻ｔ１６）。次の第３番目の周期（図５Ｃ）において、発振信号Ｓ5と同期信号Ｓinの位相が一致し、パルス信号Ｓ１２が生成
されない。
【００３８】
図６は、この発明の第２の実施形態を示す。第２の実施形態は、拡散符号を生成するタイミングをチャンネル毎に非同期にするものである。すなわち、拡散変調器４1〜４nに対して供給される拡散符号ｃ1〜ｃnがそれぞれ遅延部９1，９2，・・・，９nに供給され、
互いに異なる時間遅延される。拡散符号のクロックレートは、送信データのものより高く、第１の実施形態において、送信データに対して与えた遅延時間に比して短い遅延時間が拡散符号に与えられる。また、遅延時間の何れも、拡散符号のクロックレートの最小値の逆数よりも短いものに選定される。
【００３９】
遅延部９1〜９nは、互いに位相差を有する発振器８ｂのｎ個の出力Ｓ11〜Ｓ1nが有する位相差に対応した遅延時間をそれぞれ有する。図６では、遅延部９n-1に対して発振器８
ｂの出力信号Ｓ1n-1が供給され、遅延部９nに対して発振器８ｂの出力信号Ｓnが供給されている。発振器８ｂは、発振周波数が高い点を除くと、図２を参照して述べた発振器８ａと同様の構成および動作のものであるので、対応する部分には、同一参照符号を付して示す。
【００４０】
図７は、この発明の第３の実施形態を示す。第３の実施形態は、送信データおよび拡散符号の両方を非同期とするものである。すなわち、図１に示す第１の実施形態と図６に示す第２の実施形態を組み合わせたものである。図１および図６と対応する部分には、同一符号を付してその説明は、重複を避けるために省略する。図７の構成では、発振器８ａによって送信データに対して与える遅延時間ｔ1〜ｔnと、発振器８ｂによって拡散符号に対して与える遅延時間とは、独立したもので、拡散変調の結果、遅延時間（位相差）がキャンセルされないように選ばれている。
【００４１】
この発明では、図２に示す構成の発振器８ａ，８ｂによって、同期信号に同期して、位相差を有する複数の信号を生成するのに限らず、図８に示す構成の発振器１０ａを使用しても良い。図８において、参照符号１５は、別の発振器を示す。発振器１５の出力が縦続接続されたインバータ１６1，１６2，１６3，・・・・，１６nに供給される。
【００４２】
インバータ１６1〜１６n-1の段間と、インバータ１６nの出力側とにそれぞれタップが
設けられ、タップから出力信号Ｓ1〜Ｓnが取り出される。インバータ１６1〜１６nのそれぞれによって遅延時間が発生し、出力信号Ｓ1〜Ｓnには、図３の波形と同様の位相差が発生する。
【００４３】
図９は、図８に示す発振器１０ａを使用して送信データ自身を非同期化するようにした第４の実施形態を示す。第４の実施形態では、非同期化部１の遅延部２1〜２nのそれぞれに対して発振器１０ａの出力信号Ｓ1〜Ｓnを供給し、発振器１０ａの出力信号Ｓ1〜Ｓnが有する位相差に応じた遅延を送信データに対して与えるようにしたものである。
【００４４】
図１０は、図８に示す発振器１０ａと同様の構成の発振器１０ｂを使用して拡散符号を非同期化するようにした第５の実施形態を示す。遅延部９1〜９nのそれぞれに対して発振器１０ｂの出力信号Ｓ11〜Ｓ1nが供給され、ｎ個の拡散符号ｃ1〜ｃnに対して発振器１０ｂの出力信号Ｓ11〜Ｓ1nが有する位相差に対応した遅延時間が与えられ、拡散符号ｃ1〜
ｃnが非同期化される。
【００４５】
図１１は、図８に示す発振器１０ａおよび発振器１０ｂを使用して送信データおよび拡散符号の両方を非同期化するようにした第６の実施形態を示す。非同期化部１の遅延部２1〜２nのそれぞれに対して発振器１０ａの出力信号Ｓ1〜Ｓnを供給し、発振器１０ａの出力信号Ｓ1〜Ｓnが有する位相差に応じた遅延を送信データに対して与えられる。また、遅延部９1〜９nのそれぞれに対して発振器１０ｂの出力信号Ｓ11〜Ｓ1nが供給され、ｎ個の拡散符号ｃ1〜ｃnに対して発振器１０ｂの出力信号Ｓ1〜Ｓnが持つ位相差に対応した遅延時間が与えられる。
【００４６】
図１２は、図１に示す第１の実施形態による送信装置に対応する受信装置の一実施形態の構成を示す。上述した送信装置において、受信側の一つに送信すべき信号がｒiの何れ
か一つである場合には、相関をとって同期するするようなＣＤＭＡ用の通常の受信装置を利用することによってｒiを復元することができる。
【００４７】
図１２の構成は、受信側で必要とする信号がｒ1，ｒ2，・・・，ｒnであるような受信
装置を示す。すなわち、各信号が音声信号や画像信号、各種のデータ信号、制御データ信号などに対応する。一つの端末がこれらの複数の信号を利用する。具体的には、マルチチャンネルＣＤＭＡ（ＣＤＭＡ  ２０００）や、マルチチャンネルＷ−ＣＤＭＡの基地局として図１２に示す受信装置が適用可能である。
【００４８】
参照符号２１がアンテナを示し、参照符号２２が受信部である。受信部２２において、ＩチャンネルとＱチャンネルとが分離される。異なる搬送周波数を使用する例では、受信部２２において、各搬送波周波数帯を通過させるバンドパスフィルタが周波数分離のために使用される。
【００４９】
受信部２２から出力されたＩチャンネルの信号およびＱチャンネルの信号が復調部２３の拡散復調器２４1，２４2，・・・，２４n-1，２４nにそれぞれ供給される。拡散復調器２４1〜２４nには、拡散符号ｃ1〜ｃnが供給される。受信信号と復調用の拡散符号の対応関係は、送信装置における対応関係と一致するようになされる。また、送信側と受信側とで拡散符号が同期するようになされる。例えば同期信号Ｓinによって同期関係が保持される。
【００５０】
復調部２３のｎ個の復調信号が同期化部２５に供給される。同期化部２３は、送信装置の非同期化部１において各送信データに対して与えられた遅延をキャンセルするものである。同期化部２３は、遅延部２６1〜２６nを有する。遅延部２６1〜２６nのそれぞれの遅延量は、送信側の非同期化部１において与えられた遅延時間をｔiと表すと、Ｔ−ｔiに選定されている。
【００５１】
Ｔは、ｔiの中の最大値より大きい所定時間である。したがって、非同期化部１と同期
化部２５とを通った各信号は、互いに等しい時間Ｔの遅延を与えられ、同期した信号とされる。同期化部２５の各遅延部の出力信号が受信信号ｒ1〜ｒnとして取り出される。
【００５２】
同期化部２５の各遅延部で上述した遅延時間を生じさせるために、送信装置で使用されたのと同様の構成の発振器２７が使用される。すなわち、発振器２７は、ｎ段に縦続接続されたインバータ３１1，３１2，３１3，・・・，３１nと、発振器の出力信号と同期信号Ｓinとを位相比較するＥＸ−ＯＲゲート３２、位相比較結果に応じたタイミングでパルス信号を発生するパルス発生部３３と、パルス発生部３３の出力信号と発振器の出力信号とを合成し、出力をインバータ３１1に帰還するＯＲゲート３４とから構成される。
【００５３】
なお、拡散符号を非同期化する第２の実施形態、並びに送信データおよび拡散符号の両者を非同期化する第３の実施形態にそれぞれ対応する受信装置は、図１２に示し、上述した受信装置と同様に構成することができる。さらに、図１２における発振器の構成を図８に示す構成に変更することによって、第４の実施形態と対応する受信装置を構成することができる。さらに、第５および第６の実施形態と対応する受信装置も構成することができる。
【００５４】
拡散符号を受信側で同期させる場合には、従来の同様の方法によって、送信側の拡散符号と同期する同期信号を形成する。この同期信号を図２または図８に示すような発振器に供給し、発振器によって拡散符号の同期化のための位相差を形成するようになされる。
【００５５】
通常のＷ−ＣＤＭＡのビット誤り率のコンピュータシミュレーション結果と、この発明をＷ−ＣＤＭＡに対して適用し、非同期化の処理を行った通信装置のビット誤り率のコンピュータシミュレーション結果とを比較した結果を図１３に示す。Ｗ−ＣＤＭＡ規格の伝送レートとして６０ｋbpsを採用した結果である。また、縦軸がビット誤り率、横軸がユ
ーザ数である。
【００５６】
図１３において、「ＡＳＮ」が通常のＷ−ＣＤＭＡの結果であり、「ＡＡＮ」がこの発明が適用された非同期チャンネルＷ−ＣＤＭＡの結果である。例えば許容できるビット誤り率を０．００１までとすると、「ＡＳＮ」では、ユーザ数が１６であり、「ＡＡＮ」では、ユーザ数が２０となり、この発明によってユーザ数を４増加できる。また、図示しないが、転送レートが２４０ｋbps、９６０ｋbpsのそれぞれにおいても同様に、この発明によりユーザ数を増加できることを示すコンピュータシミュレーション結果が得られた。
【００５７】
この発明は、上述したこの発明の一実施形態等に限定されるものでは無く、この発明の要旨を逸脱しない範囲内で様々な変形や応用が可能である。例えば上述した送信装置または受信装置をコンピュータ、ＦＰＧＡ(Field Programmable Gate Array：大規模ＰＬＤ(Programmable logic Device) 、ＤＳＰ(Digital Signal Processor)、ＡＳＩＣ(Application Specific Integrated Circuit)等のプログラム制御可能なハードウェアと、これらを
制御するプログラムとで実現するようにしても良い。
【図面の簡単な説明】
【００５８】
【図１】この発明による送信装置の第１の実施形態のブロック図である。
【図２】この発明に使用できる発振器の一例のブロック図である。
【図３】発振器の一例の出力の説明のための波形図である。
【図４】発振器の一例の動作説明のための波形図である。
【図５】発振器の一例の動作説明のための波形図である。
【図６】この発明による送信装置の第２の実施形態のブロック図である。
【図７】この発明による送信装置の第３の実施形態のブロック図である。
【図８】この発明に使用できる発振器の他の例のブロック図である。
【図９】この発明による送信装置の第４の実施形態のブロック図である。
【図１０】この発明による送信装置の第５の実施形態のブロック図である。
【図１１】この発明による送信装置の第６の実施形態のブロック図である。
【図１２】この発明による受信装置の一実施形態のブロック図である。
【図１３】この発明の効果の説明に使用するグラフである。
【符号の説明】
【００５９】
１              非同期化部
２1〜２n        送信データに対する遅延部
３              変調部
４1〜４n        拡散変調器
６              送信部
８ａ，８ｂ      発振器
９1〜９n        拡散符号に対する遅延部
１０ａ，１０ｂ  発振器
１１1〜１１n    インバータ
１２            ＥＸ−ＯＲゲート
１３            パルス発生部
１４            ＯＲゲート
２２            受信部
２３            拡散復調部
２４1〜２４n    拡散復調器
２５            同期化部
２６1〜２６n    受信データに対する遅延部
２７            発振器
【図１】
2005109891.tif 000003
【図２】
2005109891.tif 000004
【図３】
2005109891.tif 000005
【図４】
2005109891.tif 000006
【図５】
2005109891.tif 000007
【図６】
2005109891.tif 000008
【図７】
2005109891.tif 000009
【図８】
2005109891.tif 000010
【図９】
2005109891.tif 000011
【図１０】
2005109891.tif 000012
【図１１】
2005109891.tif 000013
【図１２】
2005109891.tif 000014
【図１３】
2005109891.tif 000015